(57)【要約】【課題】  物干し台枠組みにおいて、スタンドを複数平行に並べて主パイプに略直角に複数本のパイプを着脱容易に固定して構成され、上に簀や金網、伸縮性の金網等を載せて魚等を天日干しでき、不要になったら短時間で分解・収納できること。【解決手段】  物干し台枠組み１１は、ステンレス製のスタンド２台を平行に配置して２本の主パイプ２の間に略直角にステンレス製丸パイプ１２を渡して、ステンレス線材を屈曲して作製された接続治具１３を用いて、主パイプ２の上に略直角に丸パイプ１２を取付けて構成される。この上に、ステンレス製の金網１５を拡げて載置すれば魚を多数並べることができ、太陽の光と風による自然乾燥で魚の干物を製造できる。物干し台枠組み１１が不要になったら、接続治具１３を順次外しながら４本の丸パイプ１２を取外して、２台のスタンド１を畳んで、４本の丸パイプ１２と２台のスタンド１を狭いスペースに収納できる。【選択図】        図７
2005221134.tif 000002
【特許請求の範囲】
【請求項１】
用途に応じた長さを有する主パイプと、
前記主パイプの両端近傍に開放部を下側に向けて前記主パイプの長さ方向に対して直角に固定された断面コの字形状の１対の支持具と、
前記支持具の内部に回動自在に軸支されたパイプからなる各１対の脚部と、
１本の線材を屈曲させてなり、前記支持具の前記軸支部分より下方に前記１対の脚部を挟んで前記支持具を前記線材の両端が貫通して固定され、前記線材が下方に屈曲して適当な間隔と適当な角度を保って下方に伸び、再び前記１対の脚部側に略直角に曲げられて下部屈曲部を形成してなる脚部固定部材とを具備し、
前記１対の脚部を開いて前記脚部固定部材の両端貫通部分に当接したときに前記脚部固定部材の前記下部屈曲部が前記１対の脚部の開いた内側に嵌り込む幅に設定されていることを特徴とするスタンド。
【請求項２】
前記各１対の脚部をなす前記パイプがそれぞれ下端で屈曲して前記主パイプに略平行に伸びてそれぞれ前記主パイプの他端の脚部をなす前記パイプと一体となっていることを特徴とする請求項１に記載のスタンド。
【請求項３】
前記脚部固定部材の前記下部屈曲部の内側に前記１対の脚部が嵌り込むように前記１対の脚部をなす前記パイプの外部形状に合わせた１対の凹部が設けられていることを特徴とする請求項１または請求項２に記載のスタンド。
【請求項４】
請求項１乃至請求項３のいずれか１つに記載のスタンドを複数平行に配置して、前記複数のスタンドの前記主パイプ上に略垂直に複数本のパイプを渡して、線材を屈曲してなる前記主パイプと前記パイプをそれぞれ弾力で挟み付けて略垂直に固定する接続治具を複数個用いて構成することを特徴とする台枠組み。
【請求項５】
構成部品が全てステンレス鋼、アルミニウム、アルミニウム合金または鋼材に亜鉛メッキしたもののいずれかであることを特徴とする請求項１乃至請求項３のいずれか１つに記載のスタンド若しくは請求項４に記載の台枠組み。
【発明の詳細な説明】
【技術分野】
【０００１】
本発明は、主パイプの両端に取付けられた脚部を容易に適切な角度に開いて立てることができるスタンドと、かかるスタンドを複数平行に並べて主パイプに略直角に複数本のパイプを固定して構成される台枠組みに関するものである。
【背景技術】
【０００２】
魚等の干物を作るときには、古来、日当たりと風通しの良い場所で、簀（すのこ）や網の上に必要な処理をした魚を並べて、天日で乾燥させて製造している。近年は、屋内の乾燥設備によって魚等の干物が量産されるようになったが、干物の品質としては天日で乾燥させたものの方が優れており、今日においても自然乾燥による干物の需要は多い。しかし、自然乾燥のためには広い敷地面積を必要とし、また人手で魚を並べるのは大変な労力を必要とするため、屋内における量産物よりもコスト高になる。
【０００３】
そこで、特許文献１においては、充分な広さを有する網付き基枠に魚を複数並べてその上から押え網枠を伏せてゴム紐で締め、かかる基枠を車輪付き架台の吊棒に複数個垂直に吊り下げることによって、天日干しに必要な面積を小さくすることができる干物用魚体乾燥器の考案について開示している。
【０００４】
また、布団・毛布等を干すときには、ベランダ・バルコニー等がある家ではベランダ・バルコニーの手摺りに掛けて干し、ない家では物干し竿に掛けて干すのが一般的である。
【特許文献１】実開平６−３８５６５号公報
【発明の開示】
【発明が解決しようとする課題】
【０００５】
しかしながら、上記特許文献１の技術においては、架台が車輪付きで移動可能であるとはいえ、架台の面積分の土地は常に必要であり、さらに網付き基枠に魚を複数並べてその上から押え網枠を伏せてゴム紐で締める作業は、従来の簀や網の上に単に魚を並べる作業よりも余計に手間が掛かり、同じ数の魚を干すのに要する時間が却って長くなってしまっている。
【０００６】
また、物干し竿に布団・毛布等を干す場合には、物干し台は支持棒が地面に打ち込まれて固定されているか、重いコンクリートブロックに挿入されて立設されているため移動させることができず、また一度に干せる布団・毛布等の数にも限度があるという問題点があった。
【０００７】
そこで、本発明は、空いた敷地に簡単に何台も脚部を拡げて立てることができ、主パイプに布団・毛布等を干すことができ、不要になったら脚部を畳んで狭いスペースに収納することができるスタンドと、かかるスタンドを複数平行に並べて主パイプに略直角に複数本のパイプを着脱容易に固定して構成され、上に簀や金網、伸縮性の金網等を載せて魚等を天日干しすることができ、不要になったら短時間で分解・収納できる物干し台枠組みを提供することを課題とするものである。さらに、本発明は、かかる物干し台枠組みを応用して、上に金網や板等を載せることによって、好みの広さ・長さの苗床ベンチ、作業台、ホームセンター等における屋外商品陳列台等として用いることができる台枠組みを提供することをも課題とするものである。
【課題を解決するための手段】
【０００８】
請求項１の発明にかかるスタンドは、用途に応じた長さを有する主パイプと、前記主パイプの両端近傍に開放部を下側に向けて前記主パイプの長さ方向に対して直角に固定された断面コの字形状の１対の支持具と、前記支持具の内部に回動自在に軸支されたパイプからなる各１対の脚部と、１本の線材を屈曲させてなり、前記支持具の前記軸支部分より下方に前記１対の脚部を挟んで前記支持具を前記線材の両端が貫通して固定され、前記線材が下方に屈曲して適当な間隔と適当な角度を保って下方に伸び、再び前記１対の脚部側に略直角に曲げられて下部屈曲部を形成してなる脚部固定部材とを具備し、前記１対の脚部を開いて前記脚部固定部材の両端貫通部分に当接したときに前記脚部固定部材の前記下部屈曲部が前記１対の脚部の開いた内側に嵌り込む幅に設定されているものである。
【０００９】
請求項２の発明にかかるスタンドは、請求項１の構成において、前記各１対の脚部をなす前記パイプがそれぞれ下端で屈曲して前記主パイプに略平行に伸びてそれぞれ前記主パイプの他端の脚部をなす前記パイプと一体となっているものである。
【００１０】
請求項３の発明にかかるスタンドは、請求項１または請求項２の構成において、前記脚部固定部材の前記下部屈曲部の内側に前記１対の脚部が嵌り込むように前記１対の脚部をなす前記パイプの外部形状に合わせた１対の凹部が設けられているものである。
【００１１】
請求項４の発明にかかる台枠組みは、請求項１乃至請求項３のいずれか１つに記載のスタンドを複数平行に配置して、前記複数のスタンドの前記主パイプ上に略垂直に複数本のパイプを渡して、線材を屈曲してなる前記主パイプと前記パイプをそれぞれ弾力で挟み付けて略垂直に固定する接続治具を複数個用いて構成するものである。
【００１２】
請求項５の発明にかかるスタンド若しくは台枠組みは、請求項１乃至請求項４のいずれか１つの構成において、構成部品が全てステンレス鋼、アルミニウム、アルミニウム合金または鋼材に亜鉛メッキしたもののいずれかであるものである。
【発明の効果】
【００１３】
請求項１の発明にかかるスタンドは、脚部を拡げて脚部固定部材の下部屈曲部を間に挿入すると、脚部固定部材の上部の支持具貫通部分に両脚部が当接してそれ以上拡がらず、脚部固定部材は線材を屈曲させてなるため弾力性があり、脚部固定部材の下部屈曲部が押し込まれて両脚部は拡がりも閉じもできない状態に固定される。このときの両脚部の拡がり角は、スタンドとして立てるのに適切な角度（例えば、約３０度）に設定されている。このようにして、主パイプの両端近傍にコの字形状支持具を介して取付けられた１対の脚部を拡げることによって、容易に平坦な地面等に立てることができ、主パイプに布団・毛布等を掛けて干す等の用途に使用することができる。
【００１４】
使用しないときは、脚部固定部材の下部屈曲部を両脚部の間から抜いて両脚部を畳めば、狭いスペースにも収納することができ、また主パイプも両脚部もパイプからなるため軽量であり、自由に持ち運ぶことができ、限られた土地を有効に利用することができる。
【００１５】
このようにして、空いた敷地に簡単に脚部を拡げて立てることができ、主パイプに布団・毛布等を干すことができ、不要になったら脚部を畳んで狭いスペースに収納することができるスタンドとなる。
【００１６】
請求項２の発明にかかるスタンドは、略コの字形状に曲げられたパイプの両端が主パイプの両端近傍に固定されたコの字形状支持具に軸支されて脚部をなすもので、この脚部を拡げて固定する仕組みは請求項１のスタンドと同様である。但し、１対の脚部がそれぞれ一体になっているので、脚部固定部材は必ずしも両端に設けなくとも一方のコの字形状支持具に設けるだけでも良い。或いは、脚部が拡がるのを規制するための線材のみをもう一方のコの字形状支持具に取付けても良い。これによって、脚部の接地面積が大きくなるのでより安定性が増し、より丈夫なスタンドとなる。
【００１７】
このようにして、空いた敷地に簡単に脚部を拡げて立てることができ、より安定性が増し、主パイプに布団・毛布等を干すことができ、不要になったら脚部を畳んで狭いスペースに収納することができるスタンドとなる。
【００１８】
請求項３の発明にかかるスタンドは、脚部固定部材の下部屈曲部の内側に１対の脚部が嵌り込むように１対の脚部をなすパイプの外部形状に合わせた１対の凹部が設けられている。即ち、脚部をなすパイプが丸パイプの場合には１対の凹部はそれぞれ半円形状であり、角パイプの場合には１対の凹部はそれぞれコの字形状であり、三角パイプの場合には１対の凹部はそれぞれ楔形状である。これによって、スタンドの脚部を閉じて収納するとき、脚部固定部材の下部屈曲部に設けられた１対の凹部に１対の脚部がそれぞれ嵌り込み、脚部固定部材の弾性力によって押え付けられるので、スタンドの脚部が閉じた状態で固定されて収納がし易くなる。
【００１９】
このようにして、空いた敷地に簡単に脚部を拡げて立てることができ、主パイプに布団・毛布等を干すことができ、脚部を畳んで狭いスペースに収納するときに収納がし易いスタンドとなる。
【００２０】
請求項４の発明にかかる台枠組みは、スタンドを複数平行に配置して主パイプ上に略垂直に複数本のパイプを渡して、線材を屈曲してなる主パイプとパイプをそれぞれ弾力で挟み付けて略垂直に固定する接続治具を複数個用いて構成される。これによって、空いた敷地の広いスペースに短時間で容易に台枠組みが組み立てられ、この上に簀、金網、板等を載せることによって、魚等を多数並べて天日干しと自然の風で乾燥させて干物を作ることができる。また、台枠組みの上に直接大きな布団等を干すこともできる。
【００２１】
さらに、台枠組みの上に金網・板等を載せることによって、好みの広さ・長さの苗床ベンチ、作業台、ホームセンター等における屋外商品陳列台等として用いることができる。
【００２２】
そして、台枠組みが不要になったら、簀、金網、板等を除去して、接続治具を順次外しながら複数本のパイプを取外して行き、スタンドのみになったら上述の如く畳んで、複数本のパイプと複数のスタンドを狭いスペースに収納することができ、元の空いた敷地に戻すことができる。このように、広い敷地を独占することなく、有効利用することができる。
【００２３】
このようにして、スタンドを複数平行に並べて主パイプに略直角に複数本のパイプを着脱容易に固定して構成され、上に簀や金網、伸縮性の金網、板等を載せて魚等を天日干しすることができる物干し台枠組みを始めとする苗床ベンチ、作業台、ホームセンター等における屋外商品陳列台等として用いることができる台枠組みとなる。
【００２４】
請求項５の発明にかかるスタンド若しくは台枠組みは、構成部品が全てステンレス鋼、アルミニウム、アルミニウム合金または鋼材に亜鉛メッキしたもののいずれかである。したがって、これらの耐食性に優れた材料からなる構成部品によって製造されたスタンド若しくは台枠組みは、風雨に曝されても錆びることがなく、また台枠組みの上に簀、金網、板等を載せて魚の干物を作る場合には、干物に塩味を付けるために塩水に浸けた魚を並べて干すこともあるが、この塩水が流れ落ちて台枠組みを濡らしても錆びることはない。
【００２５】
このようにして、屋外で使用するのに適した耐食性に優れたスタンドまたは台枠組みとなる。
【発明を実施するための最良の形態】
【００２６】
以下、本発明の実施の形態について、図面を参照しつつ説明する。
【００２７】
実施の形態１
まず、本発明のスタンドにかかる実施の形態１について、図１乃至図６を参照して説明する。図１は本発明の実施の形態１にかかるスタンドを立てた状態の全体構成を示す斜視図である。図２は本発明の実施の形態１にかかるスタンドを閉じた状態の全体構成を示す斜視図である。図３は本発明の実施の形態１にかかるスタンドを立てた状態の全体構成を示す正面図である。図４は本発明の実施の形態１にかかるスタンドを立てた状態の全体構成を示す左側面図である。図５（ａ）は本発明の実施の形態１にかかるスタンドの左上部を示す部分拡大左側面図、（ｂ）はスタンドの左上部を示す部分拡大正面図、（ｃ）は脚部固定部材を示す斜視図である。図６（ａ）は本発明の実施の形態１にかかるスタンドの右上部を示す部分拡大右側面図、（ｂ）はスタンドの右上部を示す部分拡大正面図である。
【００２８】
図１に示されるように、本実施の形態１にかかるスタンド１は、ステンレス鋼の丸パイプからなる主パイプ２の両端近傍に、ステンレス鋼からなる断面コの字形状の１対の支持具３Ａ，３Ｂがそれぞれ、主パイプ２を貫通するステンレス製ボルト４によって開放部を下側に向けてネジ止め固定されている。これらの支持具３Ａ，３Ｂ内に、略コの字形状に曲げられたステンレス鋼の丸パイプからなる１対の脚部５Ａ，５Ｂの両端が、支持具３Ａにおいてはステンレス製ボルト６によって、支持具３Ｂにおいては略コの字形状のステンレス製線材８によって、それぞれ回動自在に軸支されている。
【００２９】
さらに、支持具３Ａには、ステンレス製ボルト６の下方外側において、ステンレス製線材を屈曲させてなる脚部固定部材７の両端７ｂ（一方は主パイプ２に隠れて図示されない）が貫通して、プッシュナット７ａによって固定されている。この脚部固定部材７の両端７ｂは支持具３Ａに軸支された１対の脚部５Ａ，５Ｂを挟むように取付けられており、脚部５Ａ，５Ｂの拡がり角を規制する役目をする。脚部固定部材７は支持具３Ａの外側で直角に折れ曲がってそのまま下方に伸び、再び脚部５Ａ，５Ｂ側に直角に折れ曲がって下部屈曲部７ｃを形成している。この下部屈曲部７ｃの幅は、脚部固定部材７の両端７ｂに当接して脚部５Ａ，５Ｂの拡がり角が規制された状態において、下部屈曲部７ｃの弾力によって脚部５Ａ，５Ｂの間にきっちり押し込める幅に作製されている。
【００３０】
したがって、本実施の形態１にかかるスタンド１の脚部５Ａ，５Ｂを開いて間に下部屈曲部７ｃを押し込むだけで、脚部５Ａ，５Ｂは所定の角度に開いた状態で固定され、任意の場所に立てることができる。なお、支持具３Ｂにはこのような脚部固定部材７は取付けられておらず、代わりに略コの字形状のステンレス製線材９が貫通して同様にプッシュナットによって固定され、貫通部分９ｂによって脚部５Ａ，５Ｂが所定の角度より拡がるのを規制している。
【００３１】
これは、脚部５Ａ，５Ｂが支持具３Ａ，３Ｂの間で一体になっているので、本来支持具３Ａの側で拡がり角を固定すれば充分であるが、スタンド１に大きい荷重が掛かった場合に支持具３Ｂの側で脚部５Ａ，５Ｂが所定の角度より拡がってしまうのを防ぐために、ステンレス製線材９を設けたものである。
【００３２】
次に、スタンド１の収納について、図２を参照して説明する。スタンド１の使用が終了して収納する場合には、図２に示されるように、脚部固定部材７の下部屈曲部７ｃを脚部５Ａ，５Ｂの間から引き抜いて脚部５Ａ，５Ｂの下部をぴったり合わせて閉じる。ここで、図１に示されるように、脚部固定部材７の下部屈曲部７ｃには１対の半円形の凹部７ｄが設けられており、図２に示されるように、脚部５Ａ，５Ｂを閉じたときに脚部５Ａ，５Ｂの垂直部分がこれらの１対の半円形の凹部７ｄに嵌り込むようになっている。そして、脚部固定部材７の弾性力によって押えられるため、持ち運ぶときも脚部５Ａ，５Ｂが開くことはないので収納し易く、狭いスペースにも収納することができる。
【００３３】
図３には、スタンド１を立てた状態を正面から見たところが示されている。これによって、支持具３Ａ及び脚部５Ａをステンレス製ボルト６が貫通してステンレス製ナット６ａで締め付けることによって脚部５Ａが軸支されている様子や、脚部固定部材７の両端部７ｂが支持具３Ａを貫通してプッシュナット７ａによって固定され、下部屈曲部７ｃが脚部５Ａ，５Ｂの間に押し込まれている状態、或いは支持具３Ｂ及び脚部５Ａをステンレス製線材８が貫通してプッシュナット８ａによって固定されて脚部５Ａが軸支されている様子や、支持具３Ｂをステンレス製線材９が貫通してプッシュナット９ａによって固定されている様子が分かる。
【００３４】
図４には、スタンド１を立てた状態を左側面から見たところが示されている。これによって、想像線で示される開く前の脚部５Ａ，５Ｂの垂直部分が脚部固定部材７の半円形の凹部７ｄに嵌り込んでいる状態や、脚部５Ａ，５Ｂが開かれて脚部固定部材７の下部屈曲部７ｃが間に押し込まれて、支持具３Ａを貫通している脚部固定部材７の両端部７ｂとの間に挟まれて所定の角度αに固定されている様子が分かる。なお、本実施の形態１にかかるスタンド１においては、所定の角度α＝３０度に設定している。
【００３５】
次に、各接続部分のより詳細な構造について、図５及び図６を参照して説明する。図５（ａ），（ｂ），（ｃ）に示されるように、ステンレス製ボルト４は主パイプ２の上下に開けられた貫通穴を貫通して、支持具３Ａの内側に溶接されたステンレス製ナット４ａにネジ止めされることによって、主パイプ２に支持具３Ａを固定している。１対のステンレス製ボルト６は、支持具３Ａの両側面と脚部５Ａ，５Ｂの上端近傍に開けられた貫通穴を貫通して、ステンレス製ナット６ａで締め付けられることによって脚部５Ａ，５Ｂを回動自在に軸支している。そして、脚部固定部材７の両端部７ｂは脚部５Ａ，５Ｂの角度が３０度になったところで当接する位置において、支持具３Ａの両側面を貫通してプッシュナット７ａによってそれぞれ固定されており、下部屈曲部７ｃは脚部５Ａ，５Ｂの角度が３０度になったところで内側に当接する幅に作製されている。
【００３６】
一方、図６（ａ），（ｂ）に示されるように、支持具３Ｂ側においても、ステンレス製ボルト４は主パイプ２の上下に開けられた貫通穴を貫通して、支持具３Ｂの内側に溶接されたステンレス製ナット４ａにネジ止めされることによって、主パイプ２に支持具３Ｂを固定している。コの字形状のステンレス製線材８は、支持具３Ｂの両側面と脚部５Ａ，５Ｂの上端近傍に開けられた貫通穴を貫通して、１対のプッシュナット８ａで固定されることによって脚部５Ａ，５Ｂを回動自在に軸支している。そして、コの字形状のステンレス製線材９の貫通部９ｂは脚部５Ａ，５Ｂの角度が３０度になったところで当接する位置において、支持具３Ｂの両側面を貫通して１対のプッシュナット９ａによって固定されている。
【００３７】
以上説明したように、本実施の形態１にかかるスタンド１は、脚部５Ａ，５Ｂを開いて間に脚部固定部材７の下部屈曲部７ｃを押し込むだけで所定の開脚角度３０度に固定され、容易に立てることができて主パイプ２に布団等を掛けて干したり、高さによっては交通整理等のためのバリケード・ガードフェンス・車止め等に使用することもできる。また、全ての部材がステンレス鋼でできているので、屋外に長期間立てられて風雨に曝されても錆びることはない。さらに、脚部５Ａ，５Ｂの接地面積が広いのでより安定でかつ丈夫である。また、使用しないときは、脚部５Ａ，５Ｂを閉じてぴったり合わせれば脚部固定部材７の下部屈曲部７ｃに設けられた１対の凹部７ｄに脚部５Ａ，５Ｂが嵌り込んで固定されるので、収納にも便利で狭いスペースに収納できる。
【００３８】
このようにして、本実施の形態１にかかるスタンド１は、空いた敷地に簡単に脚部を拡げて立てることができ、主パイプ２に布団・毛布等を干すことができ、脚部を畳んで狭いスペースに収納するときに収納がし易く、屋外で長期間使用するのに適した優れた耐食性を有する。
【００３９】
実施の形態２
次に、本発明の台枠組みにかかる実施の形態２について、図７及び図８を参照して説明する。図７は本発明の実施の形態２にかかる台枠組みとしての物干し台枠組みを組み立てた状態の全体構成を示す斜視図である。図８（ａ）は本発明の実施の形態２にかかる台枠組みに用いられる接続治具を示す斜視図、（ｂ）は側面図、（ｃ）は正面図である。
【００４０】
図７に示されるように、本実施の形態２にかかる台枠組みとしての物干し台枠組み１１は、実施の形態１にかかるスタンド１を２台用いている。これら２台のスタンド１を所定の間隔をおいて平行に配置し、２本の主パイプ２の間に略直角にステンレス鋼からなる丸パイプ１２を渡して、ステンレス鋼からなる線材を屈曲して作製された接続治具１３を用いて、主パイプ２の上に略直角に丸パイプ１２を取付けて行く。
【００４１】
ここで、図８を参照して接続治具１３の構造について説明する。図８（ａ）に示されるように、本実施の形態２にかかる物干し台枠組み１１に用いられる接続治具１３は、部分１３ａと部分１３ｂに分けることができる。図８（ｂ）の側面図に示されるように、部分１３ａは半円を超えて弧を描いた曲線状部分であり、接続治具１３の弾性力によってスタンド１の主パイプ２に下から嵌め込まれて固定される。一方、図８（ｃ）の正面図に示されるように、部分１３ｂは線材の両端が折り曲げられてほぼ平行に立設された１対の部分であり、この部分１３ｂで丸パイプ１２を挟むことによって主パイプ２に丸パイプ１２を接続して行く。
【００４２】
このようにして、図７に示されるように、４本の丸パイプ１２が取付けられた物干し台枠組み１１が構成される。この上に、想像線で示されるように折り畳み式のステンレス製の金網１５を拡げて載置することによって、魚を多数並べることができ、太陽の光と風による自然乾燥で魚の干物を製造することができる。ここで、魚の干物を作る場合には、干物に塩味を付けるために塩水に浸けた魚を並べて干すこともあるが、本実施の形態２にかかる物干し台枠組み１１及びその上に載置された金網１５は全てステンレス製なので、この塩水が流れ落ちて物干し台枠組み１１を濡らしても錆びることはない。
【００４３】
自然乾燥による魚の干物の製造は、２〜３日から長くても約１週間で完了するので、出来上がった魚の干物を回収して、空いたスペースにまた新しい魚を多数並べることができる。
【００４４】
そして、物干し台枠組み１１が不要になったら、折り畳み式のステンレス製の金網１５を除去して、接続治具１３を順次外しながら４本の丸パイプ１２を取外して行き、２台のスタンド１のみになったら上述の如く畳んで、４本の丸パイプ１２と２台のスタンド１を狭いスペースに収納することができ、元の空いた敷地に戻すことができる。このように、広い敷地を独占することなく、有効利用することができる。
【００４５】
このようにして、本実施の形態２にかかる物干し台枠組み１１は、実施の形態１のスタンド１を２台平行に並べて主パイプ２に略直角に４本の丸パイプ１２を接続治具１３で着脱容易に固定して構成され、上に簀や金網、伸縮性の金網１５等を載せて魚等を天日干しすることができる。そして、不要になったら短時間で分解して狭いスペースに収納することができ、敷地を有効利用することができる。さらに、全ての構成部品がステンレス鋼でできているので、屋外で長期間使用するのに適した耐食性に優れたものとなる。
【００４６】
実施の形態３
次に、本発明の台枠組みにかかる実施の形態３について、図９を参照して説明する。図９は本発明の実施の形態３にかかる台枠組みとしての作業台枠組みを組み立てた状態の全体構成を示す斜視図である。
【００４７】
図９に示されるように、本実施の形態３にかかる台枠組みとしての作業台枠組み１６は、実施の形態１にかかるスタンド１を３台用いている。これら３台のスタンド１を所定の間隔をおいて平行に配置し、３本の主パイプ２の上に略直角に複数本のパイプとしてのステンレス鋼からなる４本の丸パイプ１７を渡して、前述のステンレス鋼からなる線材を屈曲して作製された接続治具１３を用いて、主パイプ２の上に略直角に４本の丸パイプ１７を取付けて構成されている。
【００４８】
この作業台枠組み１６の上に、想像線で示されるように木製の板１８を載置することによって、丈夫な作業台となり、果実の選別等の作業を行うことができる。また、作業台のみならず、ホームセンター等で屋外に商品を陳列する商品陳列台としても用いることができる。さらに、この作業台枠組み１６は実施の形態２の物干し台枠組み１１と幅は同じで長さが長いので、木製の板１８の代わりにステンレス製の金網等を載せれば、一度により多数の魚等を天日干しすることができる。
【００４９】
このようにして、本実施の形態３にかかる作業台枠組み１６は、実施の形態１のスタンド１を３台平行に並べて主パイプ２に略直角に４本の丸パイプ１２を接続治具１３で着脱容易に固定して構成され、木製の板１８を載置することによって、丈夫な作業台となる。また、ホームセンター等で屋外に商品を陳列する商品陳列台としても用いることができ、木製の板１８の代わりにステンレス製の金網等を載せれば魚等を天日干しすることもできる。そして、全ての構成部品がステンレス鋼でできているので、屋外で長期間使用するのに適した耐食性に優れたものとなる。
【００５０】
実施の形態４
次に、本発明の台枠組みにかかる実施の形態４について、図１０を参照して説明する。図１０は本発明の実施の形態４にかかる台枠組みとしての苗床ベンチ枠組みを組み立てて金網を載せ、苗床を並べた状態の全体構成を示す斜視図である。
【００５１】
図１０に示されるように、本実施の形態４にかかる台枠組みとしての苗床ベンチ枠組み２１は、実施の形態１にかかるスタンド１を９台用いている。これら９台のスタンド１を短めの所定の間隔をおいて平行に配置し、９本の主パイプ２の上に略直角に複数本のパイプとしてのステンレス鋼からなる４本の長い丸パイプ２２を渡して、前述の接続治具１３を用いて、主パイプ２の上に略直角に４本の長い丸パイプ２２を取付けて構成されている。この苗床ベンチ枠組み２１の上にステンレス製の金網２３を複数枚載せて苗床ベンチが構成され、プラスティック製の苗床２４を複数個配置して、薄いプラスティック製の小さい植木鉢の土に植えられた花の苗２５を多数配列している。
【００５２】
これによって、花の苗２５に水をやるときも苗床ベンチの上に余分な水が溜まることがなく、また、苗床ベンチが全てステンレス鋼で構成されているため、錆びることもない。
【００５３】
なお、苗床ベンチ枠組みとしては、一体でこれほど長いものとする必要はなく、実施の形態３に示される台枠組み１６程度の長さのものを縦に複数並べても良い。また、この苗床ベンチ枠組み２１にステンレス製の金網２３を載せたものは、そのまま園芸店における花の苗や花の陳列台としても用いることができる。さらに、ステンレス製の金網２３を載せる代わりに木製の板等を載せれば、ホームセンター等で屋外に商品を陳列する商品陳列台としても用いることができる。
【００５４】
上記各実施の形態においては、構成部品として全てステンレス鋼からなる部材を用いた例を示したが、構成部品の一部または全部をアルミニウム、アルミニウム合金、または亜鉛メッキした鋼材からなるものに置き換えても良い。また、使用方法によっては、これら耐食性に優れた材料以外の鋼材等の材料からなる部品を用いることもできる。
【００５５】
また、上記各実施の形態においては、パイプとして丸パイプを用いた例について説明したが、これに限られるものでなく、角パイプ、三角パイプ、六角パイプ等を使用することもできる。但し、その場合は、パイプの断面形状に合わせて一部の部品の形状を変える必要がある。
【００５６】
本発明を実施するに際しては、スタンド及び台枠組みのその他の部分の構成、形状、数量、材質、大きさ、接続関係等についても、上記各実施の形態に限定されるものではない。
【図面の簡単な説明】
【００５７】
【図１】図１は本発明の実施の形態１にかかるスタンドを立てた状態の全体構成を示す斜視図である。
【図２】図２は本発明の実施の形態１にかかるスタンドを閉じた状態の全体構成を示す斜視図である。
【図３】図３は本発明の実施の形態１にかかるスタンドを立てた状態の全体構成を示す正面図である。
【図４】図４は本発明の実施の形態１にかかるスタンドを立てた状態の全体構成を示す左側面図である。
【図５】図５（ａ）は本発明の実施の形態１にかかるスタンドの左上部を示す部分拡大左側面図、（ｂ）はスタンドの左上部を示す部分拡大正面図、（ｃ）は脚部固定部材を示す斜視図である。
【図６】図６（ａ）は本発明の実施の形態１にかかるスタンドの右上部を示す部分拡大右側面図、（ｂ）はスタンドの右上部を示す部分拡大正面図である。
【図７】図７は本発明の実施の形態２にかかる台枠組みとしての物干し台枠組みを組み立てた状態の全体構成を示す斜視図である。
【図８】図８（ａ）は本発明の実施の形態２にかかる台枠組みに用いられる接続治具を示す斜視図、（ｂ）は側面図、（ｃ）は正面図である。
【図９】図９は本発明の実施の形態３にかかる台枠組みとしての作業台枠組みを組み立てた状態の全体構成を示す斜視図である。
【図１０】図１０は本発明の実施の形態４にかかる台枠組みとしての苗床ベンチ枠組みを組み立てて金網を載せ、苗床を並べた状態の全体構成を示す斜視図である。
【符号の説明】
【００５８】
１  スタンド
２  主パイプ
３Ａ，３Ｂ  支持具
５Ａ，５Ｂ  脚部
７  脚部固定部材
７ｃ  下部屈曲部
７ｄ  １対の凹部
１１，１６，２１  台枠組み
１２，１７，２２  複数本のパイプ
１３  接続治具
【図１】
2005221134.tif 000003
【図２】
2005221134.tif 000004
【図３】
2005221134.tif 000005
【図４】
2005221134.tif 000006
【図５】
2005221134.tif 000007
【図６】
2005221134.tif 000008
【図７】
2005221134.tif 000009
【図８】
2005221134.tif 000010
【図９】
2005221134.tif 000011
【図１０】
2005221134.tif 000012